(57)【要約】    【課題】教職員及び生徒のいずれであってもトラブル発生に対し直ちに緊急呼出ができ、この緊急呼出に対し近くにいる教職員が発生現場に出向いてトラブルに対応できる。    【解決手段】  校内に配置している発信機１０を押すと緊急呼出信号が無線送信され、教職員室に設置される受信表示機１２と教職員が携帯する携帯端末送受信機１４で受信され、発信機番号が指定表示色でフリッカ表示され、緊急警報が出される。緊急呼出信号はスピーカー装置１８でも受信され、緊急警報が出される。校内には中継機１６が設置され、システムで使用する全ての信号を受信して中継送信する。携帯端末呼出送受信機２０は、携帯端末番号と行き先を設定して教職員の保持する携帯端末送受信機１４を呼出し、緊急事態の発生場所へ駆けつけるように指示する。    【選択図】      図１
2007041688.tif 000002
【特許請求の範囲】
【請求項１】
校内に設置され、通常呼出ボタンと緊急呼出ボタンを備え、前記通常呼出ボタン又は前記緊急呼出ボタンの操作時に発信機番号、指定表示色及び呼出種別を含む呼出信号を無線送信する１又は複数の発信機と、
教職員が携帯し、前記発信機からの呼出信号を受信した際に、呼出種別から通常呼出を判別した場合は発信機番号を表示すると共に呼出音を出力し、呼出種別から緊急呼出を判別した場合は発信機番号を警報表示すると共に警報音を出力し、更に確認ボタンを操作した際に、携帯端末番号を含む確認信号を無線送信する１又は複数の携帯端末送受信機と、
教職員室等に設置され、複数の番号表示器を有し、前記発信機からの呼出信号を受信した際に、呼出種別から通常呼出を判別した場合は、発信機番号を指定表示色で前記番号表示器の先頭位置の番号表示器に表示すると共に呼出音を出力し、呼出種別から緊急呼出を判別した場合は、発信機番号を指定表示色で前記番号表示器の先頭位置の番号表示器に表示すると共に警報音を出力し、更に、前記携帯端末送受信機から確認信号を受信した際に、２番目以降の番号表示器に携帯端末番号を表示する１又は複数の受信表示機と、
校内に設置され、前記発信機から呼出信号をした際に、呼出種別から通常呼出を判別した場合は呼出音を出力し、緊急呼出を判別した場合は警報音を出力するスピーカー装置と、
校内に設置され、前記発信機から送信された呼出信号および前記携帯端末送受信機から送信された確認信号を含むシステムで使用している全ての信号を受信して中継送信する１又は複数の中継機と、
を備えたことを特徴とする学校用緊急呼出システム。
【請求項２】
請求項１記載の学校用緊急呼出システムに於いて、更に、設定操作により指定された携帯端末番号と行き先情報を含む携帯端末呼出信号を前記携帯端末送受信機に無線送信し、前記携帯端末送受信機から確認信号を受信した際に確認表示を行う携帯端末呼出送受信機を設けたことを特徴とする学校用緊急呼出システム。
【請求項３】
請求項１記載の学校用緊急呼出システムに於いて、前記発信機は、発信機番号及び表示色を指定する設定操作部を備えたことを特徴とする学校用緊急呼出システム。
【請求項４】
請求項１記載の学校用緊急呼出システムに於いて、
前記発信機は、前記通常呼出ボタン又は緊急呼出ボタンを所定時間を超えて長押した際にリセット信号を無線送信し、
前記受信表示機は前記発信機からのリセット信号を受信した際に、前記番号表示器の番号表示を消去すると共に呼出音又は警報音を停止し、
前記スピーカー装置は前記発信機からのリセット信号を受信した際に警報音を停止することを特徴とする学校用緊急呼出システム。
【請求項５】
請求項１記載の学校用緊急呼出システムに於いて、前記受信表示機は、前記携帯端末送受機からの確認信号を受信した際の携帯端末番号の表示で前記番号表示器の表示窓が全部埋まった場合、未表示の確認信号受信数をサブ表示器に表示することを特徴とする学校用緊急呼出システム。
【請求項６】
請求項１記載の学校用緊急呼出システムに於いて、前記受信表示機は、先行する呼出信号により前記番号表示器に発信機番号を表示している状態で、別の発信機から呼出信号を受信した場合、発信機番号以外の全ての番号表示器の表示を消去して新たに受信した呼出信号に対応した番号表示を行うことを特徴とする学校用緊急呼出システム。
【請求項７】
請求項１記載の学校用緊急呼出システムに於いて、前記スピーカー装置は、事前設定した発信機番号の呼出信号を受信した際に、スピーカー出力を禁止することを特徴とする学校用緊急呼出システム。
【請求項８】
請求項１記載の学校用緊急呼出システムに於いて、前記中継機は、前記呼出信号、確認信号を含むシステムで使用する信号を受信した際に、他の中継機と異なる遅延時間後に中継送信し、且つ中継送信終了から所定時間に亘り中継送信の済んだ信号と同じ信号の中継送信を停止することを特徴とする学校用緊急呼出システム。
【請求項９】
請求項２記載の学校用緊急呼出システムに於いて、前記携帯端末呼出送受信機は、一斉呼出操作に応じて行き先を含む一斉呼出信号を送信し、前記一斉呼出信号の送信後に受信した確認信号により確認件数を表示させることを特徴とする学校用緊急呼出システム。
【請求項１０】
校内に設置され、少なくとも緊急呼出ボタンを備え、前記緊急呼出ボタンの操作時に発信機番号及び指定表示色を含む緊急呼出信号を無線送信する１又は複数の発信機と、
教職員が携帯し、前記発信機からの緊急呼出信号を受信した際に発信機番号を警報表示すると共に警報音を出力し、更に確認ボタンを操作した際に、携帯端末番号を含む確認信号を無線送信する１又は複数の携帯端末送受信機と、
教職員室等に設置され、複数の番号表示器を有し、前記発信機からの緊急呼出信号を受信してた際に、発信機番号を指定表示色で先頭の番号表示器に表示すると共に警報音を出力し、更に、前記携帯端末送受信機から確認信号を受信した際に、２番目以降の番号表示器に携帯端末番号を表示する１又は複数の受信表示機と、
校内に設置され、前記発信機から緊急呼出信号を受信した際に警報音を出力するスピーカー装置と、
校内に設置され、前記発信機から送信された緊急呼出信号および前記携帯端末送受信機から送信された確認信号を含むシステムで使用している全ての信号を受信して中継送信する１又は複数の中継機と、
を備えたことを特徴とする学校用緊急呼出システム。
【請求項１１】
請求項１０記載の学校用緊急呼出システムに於いて、更に、設定操作により指定された携帯端末番号と行き先情報を含む携帯端末呼出信号を前記携帯端末送受信機に無線送信し、前記携帯端末送受信機から確認信号を受信した際に確認表示を行う携帯端末呼出送受信機を設けたことを特徴とする学校用緊急呼出システム。
【発明の詳細な説明】
【技術分野】
【０００１】
本発明は、不審者の侵入や事故などのトラブル発生を職員室及び教職員に知らせる学校用緊急呼出システムに関する。
【背景技術】
【０００２】
従来、この種の学校用緊急呼出システムとしては、例えば特許文献１の学校施設緊急支援システムが知られている。
【０００３】
この学校施設緊急支援システムにあっては、学校の職員が発信機を所持し、緊急時に支援要請信号を無線送信で発生させる。受信機は、教職員の発信機から発信された支援要請信号を校内に設置した受信機で受信し、その信号を伝送路により支援掲示装置に送信する。支援掲示装置は、システムの端末としてのパソコンであり、職員が常駐する部屋に設置され、発信機が発した支援要請信号を受信機から受信して起動し、発信機の支援要請信号を受信した受信機の位置を緊急事態発生位置として表示し、支援命令を発信する。
【０００４】
このような学校用緊急呼出システムによれば、事故、事件の緊急事態発生時に通報を受けた職員が直ちに事故、事件現場に向けて支援に駆けつけ、少なくとも二人以上の職員の協力によって、事故、事件を収拾し、事故、事件の拡大を阻止し、或いは、事故，事件の発生を未然に予防する事が可能となる。
【特許文献１】特開２００２−０３２８８１号公報
【特許文献２】特開２００４−２２０６２３号公報
【発明の開示】
【発明が解決しようとする課題】
【０００５】
しかしながら、このような従来の学校用緊急呼出システムにあっては、次のような解決すべき課題が残されている。
【０００６】
まず従来システムにあっては、緊急通報は全て教職員が携帯している発信機から行うようしており、不審者、事故などのトラブル発生に生徒たちが気がついても、教職員に知らせなければシステムによる支援ができず、様々な事態に迅速に対応できない恐れがある。
【０００７】
また教職員が携帯している発信機からの支援要請信号は、校内に設置された近くの受信機で受信され、この受信機の位置が緊急事態発生位置としてパソコン画面に表示されるが、緊急事態発生位置を場所を特定できる程度の精度で識別表示するためには、校内にかなりの数の受信機を設置し、更に、多数の受信機と職員室のパソコンとの間をＬＡＮケーブル等で接続する必要があり、既存の学校施設に設置する際の工事が極めて煩雑であり、設備コストもかなりなものとなってしまう。
【０００８】
更に、支援掲示装置として卓上に置かれるパソコンを使用しているため、教職室に設置していても、パソコンの近くにいる特定の教職員しか緊急事態発生位置などの表示内容を見ることができず、教職員室にいても緊急事態の把握が簡単にできにくい問題がある。
【０００９】
本発明は、システムの設置が容易でコストも安価であり、教職員及び生徒のいずれであってもトラブル発生に対し直ちに緊急呼出ができ、この緊急呼出に対し近くにいる教職員が発生現場に出向いてトラブルに対応でき、更に、トラブル発生現場へ向うよう教職員を特定した指示もできる日常的な学校現場での運用に適した学校用緊急呼出システムを提供することを目的とする。
【課題を解決するための手段】
【００１０】
この目的を達成するため本発明は次のように構成する。本発明の学校用緊急呼出システムは機器間の信号伝送は全て無線伝送とし、校内に設置される発信機、教職員が携帯する携帯端末送受信機、教職員室に設置される携帯端末送受信機、教職員室に設置される受信表示機、校内に設置されるスピーカー装置、および校内に設置される中継機で構成される。
【００１１】
即ち、本発明の学校用緊急呼出システムは、
校内に設置され、通常呼出ボタンと緊急呼出ボタンを備え、通常呼出ボタン又は緊急呼出ボタンの操作時に発信機番号、指定表示色及び呼出種別を含む呼出信号を無線送信する１又は複数の発信機と、
教職員が携帯し、発信機からの呼出信号を受信した際に、呼出種別から通常呼出を判別した場合は発信機番号を表示すると共に呼出音を出力し、呼出種別から緊急呼出を判別した場合は発信機番号を警報表示すると共に警報音を出力し、更に確認ボタンを操作した際に、携帯端末番号を含む確認信号を無線送信する１又は複数の携帯端末送受信機と、
教職員室等に設置され、複数の番号表示器を有し、発信機からの呼出信号を受信した際に、呼出種別から通常呼出を判別した場合は、発信機番号を指定表示色で先頭の番号表示器に表示すると共に呼出音を出力し、呼出種別から緊急呼出を判別した場合は、発信機番号を指定表示色で先頭の番号表示器に表示すると共に警報音を出力し、更に、携帯端末送受信機から確認信号を受信した際に、２番目以降の番号表示器に携帯端末番号を表示する１又は複数の受信表示機と、
校内に設置され、発信機から呼出信号をした際に、呼出種別から通常呼出を判別した場合は呼出音を出力し、緊急呼出を判別した場合は警報音を出力するスピーカー装置と、
校内に設置され、発信機から送信された呼出信号および携帯端末送信機から送信された確認信号を含むシステムで使用している全ての信号を受信して中継送信する１又は複数の中継機と、
を備えたことを特徴とする。
【００１２】
更に、本発明の学校用緊急呼出システムは、教職員室などに設置され、設定操作により指定された携帯端末番号と行き先情報を含む携帯端末呼出信号を携帯端末送受信機に無線送信し、携帯端末送受信機から確認信号を受信した際に確認表示を行う携帯端末呼出送受信機を設けたことを特徴とする。
【００１３】
ここで、発信機は、発信機番号及び表示色を指定する設定操作部を備える。また発信機は、通常呼出ボタン又は緊急呼出ボタンを所定時間を超えて長押した際にリセット信号を無線送信し、受信表示機は発信機からのリセット信号を受信した際に、番号表示器の番号表示を消去すると共に呼出音又は警報音を停止し、更に、スピーカー装置は発信機からのリセット信号を受信した際に警報音を停止する。
【００１４】
受信表示機は、携帯端末送受機からの確認信号を受信した際の携帯端末番号の表示で番号表示器が全部埋まった場合、未表示の確認番号受信数をサブ表示器に表示する。
【００１５】
受信表示機は、先行する呼出信号の受信により番号表示器に発信機番号を表示している状態で、別の発信機から呼出信号を受信した場合、先行する呼出信号による番号表示器の発信機番号以外の表示を全て消去して新たに受信した呼出信号に対応した番号表示を行う。
【００１６】
スピーカー装置は、事前設定した発信機番号の呼出信号を受信した際に、スピーカー出力を禁止する。
【００１７】
中継機は、呼出信号、確認信号を含むシステムで使用している信号を受信した際に、他の中継機と異なる遅延時間後に中継送信し、且つ中継送信終了から所定時間に亘り中継送信の済んだ信号と同じ信号の中継送信を停止する。
【００１８】
携帯端末呼出送受信機は、個別の携帯端末呼出と一斉呼出操作に応じて行き先を含む一斉呼出信号を送信し、一斉呼出信号の送信後に受信した確認信号により確認件数を表示させる。
【００１９】
本発明による学校用緊急呼出システムの別の形態にあっては、
校内に設置され、少なくとも緊急呼出ボタンを備え、緊急呼出ボタンの操作時に発信機番号及び指定表示色を含む緊急呼出信号を無線送信する１又は複数の発信機と、
教職員が携帯し、発信機からの緊急呼出信号を受信した際に発信機番号を警報表示すると共に警報音を出力し、更に確認ボタンを操作した際に、携帯端末番号を含む確認信号を無線送信する１又は複数の携帯端末送受信機と、
教職員室等に設置され、複数の番号表示器を有し、発信機からの緊急呼出信号を受信してた際に、発信機番号を指定表示色で先頭の番号表示器に表示すると共に警報音を出力し、更に、携帯端末送受信機から確認信号を受信した際に、２番目以降の番号表示器に携帯端末番号を表示する１又は複数の受信表示機と、
校内に設置され、発信機から緊急呼出信号を受信した際に警報音を出力するスピーカー装置と、
校内に設置され、発信機から送信された緊急呼出信号および携帯端末送受信機から送信された確認信号を含むシステムで使用している全ての信号を受信して中継送信する１又は複数の中継機と、
を備えたことを特徴とする。
【００２０】
この場合にも、更に、教職員室等に設置され，設定操作により指定された携帯端末番号と行き先情報を含む携帯端末呼出信号を携帯端末送受信機に無線送信し、携帯端末送受信機から確認信号を受信した際に確認表示を行う携帯端末呼出送受信機を設けたことを特徴とする。
【発明の効果】
【００２１】
本発明によれば、システムを構成する発信機、携帯端末送受信機、携帯端末呼出送受信機、受信表示機、スピーカー装置および中継機の相互間の信号伝送は全て無線伝送であり、校内にシステムを構成する機器を必要な場所に設置し、階が異なる場合などには機器間での直接的な無線伝送はできないことから、必要に応じて中継機を設置することで、校内のどのような場所でも機器の設置が可能となり、機器間の配線は必要ないことから、設置が容易で設備コストも大幅に低減できる。
【００２２】
本発明にあっては、例えば発信機の最大数は発信機番号を２桁表示、表示色を３色とした場合、発信機番号０１〜７０の割当で最大２１０台まで設置できる。また教職員の保有する携帯端末送受信機の番号については残り７１〜９９番で最大２９台使用できる。このため規模の大きな学校施設であっても十分にカバーでき、特に発信機については、最低でも教室に１台は設置可能であり、更に、廊下やトイレなどにも必要に応じて相当数の発信機を設置することができる。
【００２３】
また発信機には通常呼出ボタンと緊急呼出ボタンとが設けられており、機器破損やケンカといった日常的なトラブルについては、通常呼出ボタンを押して通報し、不審者の侵入のような非常時には緊急ボタンを押して通報することができ、受信表示機側では通常呼出であれば、発信機番号を表示して「ピンポーン」といったチャイム音であるが、緊急呼出の際には、発信機番号のフリッカ表示と連続警報音の出力で緊急事態の発生を報知し、迅速な対応を可能とする。
【００２４】
また通常呼出による日常時な使用により、教職員も生徒もシステムの利用法に習熟することができ、不審者が侵入したような緊急事態が発生しても、迅速に対応することが期待できる。
【００２５】
また教職員室に設置される受信表示機は、遠くからも視認可能な複数の番号表示器を備えており、室内の壁面の高い位置に設置しておくことで、職員室の全員が表示内容を見ることができ、通常呼出に伴う表示は勿論のこと、緊急呼出に伴う警報表示に対し各自がその内容を把握して迅速に対応できる。
【００２６】
また発信機からの呼出信号は教職員が携帯している携帯端末送受信機においても同時に受信表示され、職員室にいなくとも、全ての教職員が発信機からの呼出を端末番号表示と呼出音（バイブレータを含む）から知ることができ、呼出操作を行った発信機の近くによる教職員が迅速に対応できる。
【００２７】
教職員が携帯する携帯端末送受信機に対しては、携帯端末呼出送受信機を使用し、携帯端末番号と行き先を指定して呼出しを行うことができる。この呼出しを受けると、指定した番号の携帯端末送受信機の表示部に、トラブル発生場所として指定した行き先への指示が表示され、職員室などから特定の教職員を指定して現場に出向かせることができる。また携帯端末呼出送受信機には一斉呼出ボタンが設けられており、非常事態によっては、教職員全員を指定した行き先に駆けつけるように指示することもできる。
【００２８】
またスピーカー装置は、発信機からの呼出信号に対しスピーカー出力の有無を設定することができる。これは不審な侵入者などに対しては過度な刺激を与えない方が良い場合があり、そこで、発生現場近くに設置されたスピーカー装置については、その発信機からの緊急呼出信号を受信しても警報音を出さないように事前設定できる。
【００２９】
また本発明で使用する中継機は，校内に複数の中継機が設置されている場合、発信機からの呼出信号に対し受信した全ての中継機が同じタイミングで中継送信することを防止するため、各中継機ごとに異なる遅延時間が設定され、中継送信のタイミングをずらし、中継送信の衝突や干渉を防いでいる。
【００３０】
また複数の中継機の相互間では、異なる遅延時間で他の中継機が中継送信した信号が再度受信されると再び固有の遅延時間後に中継送信し、これが繰り返されるキャチボール現象が生ずる可能性があることから、中継送信後に所定時間の間、同じ信号の中継送信を停止し、キャッチボール現象を防止する。
【発明を実施するための最良の形態】
【００３１】
図１は本発明による学校用緊急呼出システムの構成を示した説明図である。図１において、本発明の学校用緊急呼出システムは、システム構成機器の間の信号伝送は全て無線伝送としている。本発明によるシステム構成機器としては、校内の各教室Ｃ１〜Ｃ３や、廊下、トイレなどのその他の場所に設置される発信機１０、職員室Ａの壁面などに設置される受信表示機１２、教職員が携帯する携帯端末送受信機１４、システム各機器から送信された信号を中継する中継機１６、校内の所定位置に設置されるスピーカー装置１８、及び職員室Ａに設置される携帯端末呼出送受信機２０がある。
【００３２】
教室及びその他の場所に設置される発信機１０は通常呼出ボタンと緊急呼出ボタンを備え、通常呼出ボタンの操作時には通常呼出信号を無線送信し、緊急呼出ボタンの操作時には緊急呼出信号を無線送信する。通常呼出信号及び緊急呼出信号は、呼出種別発信機番号及び指定表示色を信号内容として含む。
【００３３】
職員室Ａに設置される受信表示機１２は、受信処理部１２ａ、操作部１２ｂ、警報表示部１２ｃを備える。受信表示機１２は警報表示部１２ｃとして複数の番号表示器を有し、発信機１０からの呼出信号を受信した際に、呼出種別から通常呼出を判別した場合は発信機番号を指定表示色で先頭の番号表示器に表示すると共に、例えば「ピンポーン、ピンポーン」といった呼出音を出力する。
【００３４】
また呼出種別として緊急呼出を判別した場合は、同様に発信機番号を指定表示色で先頭の番号表示器に、緊急表示であることを示すために発信機番号を例えばフリッカ表示すると共に、警報音として連続チャイム音（警報音）を出力する。
【００３５】
また受信表示機１２は、発信機１０からの呼出信号を受信した教職員が携帯する携帯端末送受信機１４から確認信号を受信すると、番号表示器の２番目以降の番号表示器に確認信号を受信した携帯端末送受信機の携帯端末番号を表示する。この教職員が携帯する携帯端末送受信機１４からの確認信号に対する受信表示機１２の表示の詳細は、後の説明で明らかにする。
【００３６】
中継機１６は校内の適宜の場所に設置され、発信機１０から送信された呼出信号及び携帯端末送受信機１４から送信された確認信号を含むシステムで使用している全ての信号を受信して中継送信する。
【００３７】
スピーカー装置１８は、発信機１０から呼出信号を受信した際に、呼出種別から通常呼出を判別した場合は「ピンポーン、ピンポーン」などの呼出音を出力し、緊急呼出を判別した場合は連続的な警報音を出力する。
【００３８】
更に、職員室Ａに設置された携帯端末呼出送受信機２０は、受信表示機１２で通常呼出表示もしくは緊急呼出表示が行われた場合、担当者が携帯端末呼出送受信機２０を使用して、教職員が携帯している携帯端末送受信機１４に対し緊急事態が発生した場所に出向くための指示を、携帯端末番号を指定して行う。このため携帯端末呼出送受信機２０には、送受信処理部２０ａ、呼出操作部２０ｂ及び呼出表示部２０ｃが設けられている。
【００３９】
図２は本発明のシステム機器を設置した学校見取り図の一例である。図２において、校内の教室、トイレ、体育館などには発信機１０が設置されている。また教室、体育館、廊下などの必要な場所にはスピーカー装置１８が設置されている。職員室には受信表示機１２と携帯端末呼出送受信機２０が設置される。受信表示機１２は職員室以外に、例えば廊下や体育館などにも設置することができる。
【００４０】
教職員は各自が携帯端末送受信機１４を携帯しており、このため携帯端末送受信機１４は、教職員の行動と共に移動局として校内の任意の位置に存在することになる。更にシステム機器相互間の無線通信を可能とするため、校内の適宜の場所に中継機１６が設置されている。通常、学校施設にあっては、２階、３階といった多層階の建物構造をとっていることから、各階のシステム機器との間で無線送信を可能とするため、中継機１６が全エリアをカバーするように配置している。
【００４１】
ここで図２の校内見取図を例にとって本発明の学校用緊急呼出システムの基本的な動作を説明すると次のようになる。本発明の学校用緊急呼出システムは、校内において不審者の侵入時や、事件、事故などのトラブルが発生した場合に、速やかにその発生場所及び職員室及び教職員に知らせるものである。
【００４２】
このためトラブルが発生した場合、その近くにいる生徒あるいは教職員が発信機１０の呼出操作を行う。トラブルの緊急性が低い例えば軽い怪我などのような場合には発信機１０の通常呼出ボタンを押せばよい。これに対し、重大なトラブルが発生した場合には緊急呼出ボタンを押すことになる。
【００４３】
発信機１０の呼出操作により送信された呼出信号は、必要に応じて中継機１６を経由して、職員室及びその他の場所に設置されている受信表示機１２で受信され、呼出を行った発信機の発信機番号が指定表示色により先頭の番号表示器に表示される。同時に発信機１０からの呼出信号は教職員が携帯している携帯端末送受信機１４でも受信され、同様に発信機番号が表示される。
【００４４】
この受信表示機１２及び携帯端末送受信機１４における発信機番号の表示は、通常呼出と緊急呼出とでは異なった表示形態となり、また通常呼出と緊急呼出では呼出音と警報音とで相違することになる。
【００４５】
この結果、発信機１０による呼出があると、職員室にいる教職員はもちろんのこと、教職員各自が携帯している携帯端末送受信機１４の受信表示により、全ての教職員が呼出があったことをほぼ同時に知ることができる。
【００４６】
このような発信機１０の操作による呼出があった場合には、トラブル発生場所の近くにいる教職員が現場に出向いて必要な対応をとる。このとき教職員は、自分の携帯している携帯端末送受信機１４の確認ボタンを押す。確認ボタンを押すと確認信号が送信され、職員室に設置している受信表示機１２で確認信号を送信した携帯端末送受信機１４の携帯端末番号が表示され、職員室にあっては、トラブル発生に対し確認信号を送信した教職員が向かっていることを直ちに知ることができる。
【００４７】
また必要な場合には、職員室の担当者が携帯端末呼出送受信機２０を使用して、特定の携帯端末送受信機１４の携帯端末番号とその行先を指定した呼出を行い、教職員をトラブル発生場所に向かうよう指示することもできる。
【００４８】
図３は本発明で使用する発信機１０の説明図である。図３（Ａ）は発信機１０の平面図、図３（Ｂ）は側面図である。発信機１０は上部に円形大型の通常呼出ボタン２２を設けており、通常呼出ボタン２２の一部に窪み２６を形成し、その中に緊急呼出ボタン２４を設けている。このような呼出ボタンの構造により、日常的な通常呼出にあっては通常呼出ボタン２２を押せばよく、重大なトラブルが発生した場合には窪み２６の中に指を入れて緊急呼出ボタン２４を操作することになり、これにより、むやみに緊急呼出ボタン２４が押されることを防いでいる。
【００４９】
図４は本発明で使用する発信機１０の機能構成を示したブロック図である。図４において、発信機１０は、呼出制御回路２８、送信回路３０、アンテナ３２、電池電源部３４を備え、呼出制御回路２８に対しては、通常呼出スイッチ２２ａ、緊急呼出スイッチ２４ｂ及び設定操作部２５を設けている。
【００５０】
設定操作部２５は、職員室に設置した受信機表示器１２で表示する発信機番号と指定表示色を設定する。本発明の受信表示機１２にあっては番号表示器は２桁表示であることから、発信機１０の発信機番号として例えば「０１」〜「７０」を割り当てる。同時に受信表示機１２にあっては、２桁の番号表示を赤、黄、緑の３色のいずれかで表示することができる。このため受信表示機１２で表示可能な発信機番号は、「０１」〜「７０」の７０種類に、更に、赤、黄、緑の３色を組み合わせた２１０種類とすることができ、校内に設置する発信機の最大数を考慮しても十分な発信機番号の割当が可能である。
【００５１】
また発信機１０における指定表示色の設定としては、学年ごとに分けて設定することが望ましい。例えば小学校なら１，２年生の低学年については赤を設定し、３，４年生の中学年については黄を設定し、５，６年生の高学年については緑を設定すればよい。
【００５２】
呼出制御回路２８は、通常呼出スイッチ２２ａまたは緊急呼出スイッチ２４ｂのスイッチ信号が入力した際に通常呼出信号または緊急呼出を生成し、送信回路３０で変調し、アンテナ３２から無線送信する。
【００５３】
図５（Ａ）は発信機１０から送信する通常呼出信号３６のフォーマット構成である。通常呼出信号３６は、通常呼出コマンド、発信機番号、指定表示色、その他で構成される。図５（Ｂ）は発信機１０から送信される緊急呼出信号３８のフォーマット構成であり、緊急呼出コマンド、発信機番号、指定表示色、その他で構成されている。
【００５４】
この図５（Ａ）の通常呼出信号３６または図５（Ｂ）の緊急呼出信号３８は、図１の職員室Ａに設置した受信表示機１２及び教職員が携帯している携帯端末送受信機１４のそれぞれで受信され、通常呼出コマンドか緊急呼出コマンドかで呼出種別を判別し、発信機番号により発信機を特定し、更に指定表示色により発信機番号の表示色を決めて表示出力することになる。
【００５５】
更に図４の発信機１０にあっては、呼出信号を送信した後に、通常呼出スイッチ２２ａもしくは緊急呼出スイッチ２４ｂの少なくともいずれか一方を所定時間以上、長押しすると、図５（Ｃ）の呼出リセット信号４０を送信する。呼出リセット信号４０は、図１の受信表示機１２及び教職員が携帯する携帯端末送受信機１４で受信されると、そのとき受信表示されている発信機番号の表示を消去し、また緊急呼出で警報が出力されている場合は警報を停止することになる。
【００５６】
更に図５（Ｄ）（Ｅ）（Ｆ）には、携帯端末送受信機１４の確認ボタンの操作で送信される確認信号４２、携帯端末呼出送受信機２０から送信される端末呼出信号４４、及び一斉呼出信号４６のフォーマット構成を示している。
【００５７】
図６は本発明で使用する受信表示機１２の説明図である。受信表示機１２は、例えば幅約６０ｃｍ、高さが約２０ｃｍ程度のユニットであり、この実施形態にあっては番号表示器４８を４台、横に並べて配置している。番号表示器４８は８セグメント素子を２つ並べた２桁の数値表示を可能としている。
【００５８】
番号表示器４８における表示色は、この実施形態にあっては、赤、黄、緑の３色を切替表示できるようにしている。表示色の発光は８セグメント表示素子が液晶透過素子であることから、この背光照明の背光色を赤、黄、緑に切り替えることで表示色を変更できる。
【００５９】
本発明にあっては、５つの番号表示器４８のうち左端の１番目（先頭）の番号表示器４８に、発信機１０からの呼出信号を受信した際に発信機番号を表示する。また２番目以降の４つの番号表示器４８には、発信機１０からの呼出信号を受けて教職員が携帯する携帯端末送受信機１４から送信された確認信号に基づき、確認を行った携帯端末番号が受信順に表示される。
【００６０】
受信表示機１２の左側下部は円弧状に突出され、ここにサブ表示器５０を設けている。サブ表示器５０は８セグメント素子を２つ並べた２桁の数値表示を行うことができ、２番目から５番目の番号表示器４８に表示する教職員が携帯する携帯端末送受信機１４からの確認信号による携帯端末番号の表示がオーバーフローした場合、残りの確認信号の受信数をサブ表示器５０に表示する。
【００６１】
このため、教職員が携帯する携帯端末送受信機１４からの確認信号を多数受けた場合であっても、最初に受けた４つは携帯端末番号が２番目から５番目の番号表示器４８に表示され、残りの確認信号の受信数は表示されている４つを含めサブ表示器５０に表示され、これによって呼出に対し教職員がどれだけ呼出信号を確認して対応しているかを簡単且つ容易に把握することができる。
【００６２】
また緊急呼出信号を受信した際の右端の１番目の番号表示器４８に対する端末番号の表示については、呼出信号から判別した指定表示色による色で表示すると同時に、表示番号をフリッカ表示させて緊急事態の発生を報知する。また音響孔５２の背後にはスピーカーが設置されており、通常呼出では「ピンポーン、ピンポーン」などの呼出音が、緊急呼出では連続した警報音が出力されることになる。
【００６３】
受信表示機１２に設けた番号表示器４８の下側には音量表示部５６と明るさ表示部５８が設けられている。音量表示部５６には４つの表示灯が並んでおり、ボリュームにより調整した音量を４段階で表示する。また、明るさ表示部５８についても同様に４つの表示灯が並んでおり、調整ボリュームで対応した明るさが４段階で表示される。
【００６４】
更に、１番目の番号表示器４８に発信機番号を表示した状態で別の発信機１０から呼出信号を受信すると、現在表示している番号表示器４８の表示は全て消去し、新たに受信した発信機１０からの呼出信号に基づく発信機番号、及びこれに対する教職員が携帯する携帯端末送受信機１４からの確認信号による携帯端末番号を表示する。これによって、常に最新の呼出信号及びこれに対する確認状態を表示できるようにしている。
【００６５】
図７は本発明による受信表示機１２の機能構成を示したブロック図である。図７において、受信表示機１２は、アンテナ５４、受信回路６０、デコード回路６２、ＭＰＵ６４、表示駆動回路６８、４台の番号表示器４８、サブ表示器５０、チャイム駆動回路７０、スピーカー７２及び電源部７４を備えている。
【００６６】
ＭＰＵ６４には、プログラムの信号により実現される受信表示処理部６６の機能が設けられている。受信回路６０は発信機１０から、図５（Ａ）〜（Ｃ）に示した通常呼出信号３６、緊急呼出信号３８または呼出リセット信号４０を受信復調し、デコード回路６２で各信号のフォーマット構成に伴う内容を解読し、ＭＰＵ６４に解読結果を出力する。
ＭＰＵ６４の受信表示処理部６６は、呼出信号に含まれるコマンドから通常呼出か緊急呼出かを判別し、また指定表示色から表示色を特定し、受信した端末番号を表示駆動回路６８に出力して先頭の番号表示器４８に表示させる。
【００６７】
また、教職員が携帯する携帯端末送受信機１４から図５（Ｄ）の確認信号４２を受信した場合には、確認信号４２が確認コマンド、端末番号を含むことから、この解読結果に基づき２番目以降の番号表示器４８に対し受信順に携帯端末番号を表示させる。更に、携帯端末番号の番号表示器４８による表示がオーバーフローした場合には、サブ表示器５０に確認信号の受信数を表示させる。
【００６８】
またＭＰＵ６４は、通常呼出にあってはチャイム駆動回路７０によりスピーカー７２から例えば「ピンポーン、ピンポーン」などの呼出音を出力し、一方、緊急呼出を判別したときにはスピーカー７２から連続警報音を出力させる。
【００６９】
このような受信表示機１２における端末番号表示及び携帯端末番号表示の状態で、発信機１０から図５（Ｃ）の呼出リセット信号４０を受信した場合には、番号表示器４８に表示している発信機番号及び携帯端末番号、更にサブ表示器５０に表示している確認信号数を消去する。もちろん、チャイム駆動回路７４により警報音が出力していれば、これも停止する。
【００７０】
更に受信表示処理部６６は、最初の番号表示器４８に発信機番号を表示した状態で別の発信機１０からの呼出信号を受信すると、現在表示中の発信機番号及び携帯端末番号を全て消去し、新たに受信した呼出信号による端末番号及び確認信号に基づく携帯端末番号の表示に切り替わるようになる。
【００７１】
図８は本発明で使用する携帯端末送受信機１４の説明図である。図８において、携帯端末送受信機１４は教職員が携帯しており、確認ボタン７６、液晶表示器７８、待受け表示灯８０、ローバッテリー警告灯８２、アンテナ８４を備えている。
【００７２】
携帯端末送受信機１４は、発信機１０からの呼出信号を受信すると、通常呼出か緊急呼出かの種別を判別し、液晶表示部７８に指定表示色で発信機番号を表示し、通常呼出にあっては固定表示であるが、緊急呼出にあっては例えばフリッカ表示とする。また携帯端末送受信機１４はスピーカー及びバイブレータを内蔵しており、呼出信号の受信時に、通常呼出及び緊急呼出に分けて音響出力及びバイブレータの駆動を行う。
【００７３】
図９は本発明で使用する携帯端末送受信機１４の機能構成を示したブロック図である。図９において、携帯端末送受信機１４は、アンテナ８４、送受信回路８６、デコード回路８８、エンコード回路９０、ＭＰＵ９２、ＭＰＵ９２のプログラムの実行により実現される機能である送受信処理部９４、デバイスインタフェース９５、液晶表示器７８、待受け表示灯８０、ローバッテリー警告灯８２、確認スイッチ７６ａ、スピーカー９６及びバイブレータ、更に電池電源部９８を備えている。
【００７４】
送受信回路８６は発信機１０から図５（Ａ）の通常呼出信号３６または図５（Ｂ）の緊急呼出信号３８を受信すると、これを復調してデコード回路８８に出力し、デコード回路８８でフォーマットを解読し、解読内容をＭＰＵ９２に出力する。ＭＰＵ９２の送受信処理部９４は、デコード回路８８から得られた呼出種別、発信機番号及び指定表示色に基づき、デバイスインタフェース９５を介して液晶表示器７８に発信機番号を指定表示色で表示し、通常呼出は固定表示であるが緊急呼出についてはフリッカ表示とする。また、設定状態で有効となっているスピーカー９６からの出力またはバイブレータ９７による振動駆動を行う。
【００７５】
このような呼出信号の受信表示状態があると、携帯端末送受信機１４を携帯している教職員は表示を見て、例えば自分がトラブル発生現場に近かった場合には確認ボタン７６を押して現場に向かう。確認ボタン７６を押すと、ＭＰＵ９２の送受信処理部９４は、図５（Ｄ）のフォーマット構成を持つ確認信号４２のデータをエンコード回路９０に出力し、エンコード回路９０で確認信号のフォーマットを作成し、これを送受信回路８６で変調し、アンテナ８４から送信する。
【００７６】
更にＭＰＵ９２の送受信処理部９４は、図５（Ｅ）の端末呼出信号４４を図１の携帯端末呼出送受信機２０から受信した場合、信号内容に含まれる端末番号と自分の割当端末番号と比較し、一致した場合には自分に対する端末呼出信号と認識し、信号内容に含まれる行先情報に基づき液晶表示器７８に行先を表示する。この端末呼出信号４４に基づく行先表示は、行先を示す番号であってもよいし、具体的な行先の名称を例えばカタカナ、アルファベット、数字の組合せにより表示してもよい。
【００７７】
更にＭＰＵ９２の送受信処理部９４にあっては、図５（Ｆ）に示す一斉呼出信号４６を携帯端末呼出送受信機２０から受信した場合、端末番号を識別することなく、液晶表示器７８に指示された行先を表示する。
【００７８】
このような図５（Ｅ）の端末呼出信号４４あるいは図５（Ｆ）の一斉呼出信号４６に対しては、その行先表示を見て出向く際に確認ボタン７６を操作して確認信号を送信し、自分がトラブル発生先に出向いたことを知らせるようにする。
【００７９】
更に、携帯端末送受信機１４は、別の教職員が携帯する携帯端末送受信機１４から送信された確認信号も受信され、この場合には液晶表示器７８に端末番号と件数が表示され、確認信号を複数受信した場合には受信のたびに端末番号が順番に表示され、画面に入りきらなかった場合には未表示の番号が保留されボタン操作で呼び出して順次確認することもできる。
【００８０】
図１０は本発明で使用する中継機１６の説明図である。中継機１６はアンテナ１００と動作表示灯１０１を備えている。また、中継機１６の筐体構造は室内のみならず屋外に設置される場合もあることから、防水、耐光性構造とすることが望ましい。
【００８１】
図１１は本発明で使用する中継機１６の機能構成を示したブロック図である。図１１において、中継機１６は、アンテナ１００、送受信回路１０２、デコーダ回路１０４、エンコード回路１０６、ＭＰＵ１０８、電源部１１５で構成され、ＭＰＵ１０８にはプログラム実行により実現される機能として、中継処理部１１０、遅延時間テーブル１１２及び受信データ保持部１１４が設けられている。
【００８２】
中継機１６は図５（Ａ）〜（Ｆ）に示したシステムの機器から送信される全ての信号を受信し、デコード回路１０４で解読し、ＭＰＵ１０８の受信データ保持部１１４に保持した後、エンコード回路１０６に出力し、送受信回路１０２で変調して中継送信する。
【００８３】
ここで本発明のシステムにあっては、校内に複数の中継機１６が設置されており、ある発信機１０からの呼出信号につき、複数の中継機１６で受信し、同時に中継送信することとなり、中継送信した信号が受信先で信号衝突による干渉を起こす恐れがある。
【００８４】
そこで本発明にあっては、中継機１６に遅延時間テーブル１１２を設けており、遅延時間テーブル１１２には中継機１６ごとに異なった遅延時間を設定している。具体的には遅延時間テーブル１１２は、システムで使用する中継機の最大数に応じた異なる遅延時間が中継機番号をインデックスとして登録されており、中継機１６に固有の中継機番号を設定すると、対応する遅延時間が遅延時間テーブル１１２から読み出されて、その中継機で使用する遅延時間として設定されることになる。
【００８５】
また本発明の中継機１６にあっては、中継機ごとに異なる遅延時間が設定されたため複数の中継機１６で同じ発信機１０からの呼出信号が受信されると、異なった遅延時間後に各中継機１６から同じ呼出信号を中継送信する。このため呼出信号を中継送信した中継機は、その後に別の中継機から異なる遅延時間後に中継送信された同じ呼出信号を受信して、再び中継送信することとなり、同じ呼出信号が遅延時間の異なる中継機間で繰り返し送信されるキャッチボール現象を生ずる。
【００８６】
この中継機間におけるキャッチボール現象を防止するため本発明の中継機１６にあっては、ＭＰＵ１０８の受信データ保存部１１４に中継送信した信号を一定時間保存しており、新たに信号を受信した場合には受信データ保存部１１４に保存している受信データと比較し、一致した場合には中継送信を禁止する。
【００８７】
このため遅延時間が異なる複数の中継機で順次同じ呼出信号が中継送信されたとしても、同じ呼出信号については一定時間中継送信が禁止されるため、遅延時間の異なる中継機間で生ずる中継信号のキャッチボール現象を防止することができる。
【００８８】
図１２は本発明で使用する携帯端末呼出送受信機２０の説明図である。図１２において、携帯端末呼出送受信機２０は液晶表示器１１４、「１」〜「９」，「０」の番号ボタンを備えたテンキー１１６、呼出ボタン１１８、一斉呼出ボタン１２０、電源ボタン１２２、アンテナ１２４を備える。
【００８９】
携帯端末呼出送受信機２０はテンキー１１６により教職員が携帯する携帯端末送受信機１４の端末番号と行き先を指定して呼出信号を送信する。例えば、呼出番号の設定は「Ｃ」ボタンを押して、テンキー１１６により２桁の番号「２４」を設定する。行き先については例えば「Ｃ」ボタンを２回押した後、例えば行き先に応じて予め作成した２桁のコード番号を入力すると、例えば行き先として「ヒガシ・コウモン」をカタカナで文字表示することができる。もちろん行き先については行き先に設置している発信機番号など適宜の行き先表示を使用することができる。
【００９０】
このような行き先別の携帯端末番号と行き先の設定が済んだならば、呼出ボタン１１８を押すことで、図５（Ｅ）のフォーマット構成をもつ端末呼出信号４４が送信される。  また呼出先の携帯端末番号を指定せずに行き先のみを指定した状態で一斉ボタン１２０を押すと、図５（Ｆ）のフォーマット構成をもつ一斉呼出信号４６が送信される。
【００９１】
呼出ボタン１１８もしくは一斉ボタン１２０の操作により呼出信号を送信した後、教職員が携帯する携帯端末送受信機１４からの確認信号が受信されると、液晶表示器１１４に確認信号を送信した携帯端末番号とそれまでに受信した確認信号の受信件数が表示される。この場合、複数の携帯端末送受信機１４からの確認信号を受信した場合には、受信のたびに順次携帯端末番号を表示するが、画面に入りきらなかった場合には未表示の件数分の携帯端末番号が保留され、例えば「Ｃ」ボタンの操作で順番に切り替え表示して内容を確認することができる。
【００９２】
さらに、携帯端末呼出送受信機２０にあっては確認表示灯１２５を備えており、教職員が携帯する携帯端末送受信機１４から確認信号が受信されると、例えば緑色にランプ点灯する。また携帯端末呼出送受信機２０は連続して複数の教職員に対し呼び出しを行うことができ、このため例えば最初の呼び出しに対して確認信号が得られて確認表示灯１２５が緑に点灯し、２回目の呼び出しに対し確認信号が受信されると確認表示灯１２５を赤に切り替え表示、呼出ごとに緑と赤を切り替えて、呼び出しに対する確認を区別できるようにしている。
【００９３】
図１３は本発明で使用する携帯端末呼出送受信機２０の機能構成を示したブロック図である。図１３において、携帯端末呼出送受信機２０はアンテナ１２３、送受信回路１２５、デコード回路１２６、エンコード回路１２８、ＭＰＵ１３０、ＭＰＵ１３０のプログラムの実行により受信される機能である呼出処理部１３２、デバイスインタフェース１３４、液晶表示器１１４、操作部１３６、スピーカー１３８、電源部１４０を備える。
【００９４】
ＭＰＵ１３０の呼出処理部１３２は操作部１３６のテンキー１１６などの操作による携帯端末番号と行き先の設定による呼出操作を受けて図５（Ｅ）のフォーマット構成をもつ端末呼出信号４４を送信させる。また一斉呼出操作については、図５（Ｆ）のフォーマット構成をもつマット構成をもつ一斉呼出信号４６を送信させる。
このような端末呼出信号４４もしくは一斉呼出信号４６の送信に対し、教職員が携帯する携帯端末送受信機１４から図５（Ｄ）のフォーマット構成を持つ確認信号４２を受信すると、この確認信号の内容から液晶表示器１１４に携帯端末番号を表示する。
【００９５】
図１４は本発明で使用するスピーカー装置の説明図である。図１４において、スピーカー装置１８はアンテナ１４２を備え、内部に専用回路とスピーカーを内蔵している。
【００９６】
図１５は本発明で使用するスピーカー装置の機能構成を示したブロック図である。図１５において、スピーカー装置１８はアンテナ１４２、受信回路１４４、デコーダ回路１４５、ＭＰＵ１４６、ＭＰＵ１４６のプログラム実行により実現されるスピーカー処理部１４７と動作時間設定部１４８、駆動回路１５０、スピーカー１５２、設定操作部１５４及び電源部１５６を備えている。ＭＰＵ１４６の動作時間設定部１４８は設定操作部１５４の操作でスピーカーの鳴動時間を例えば１分、３分、５分、連続のいずかに切り替え設定することができる。
【００９７】
ＭＰＵ１４６のスピーカー処理部１４７は発信機１０から図５（Ａ）の通常呼出信号３６または図５（Ｂ）の緊急呼出信号３８を受信した際に呼出種別に応じたスピーカー１５２からの出力を行う。このスピーカー１５２からの出力は通常呼出であれば「ピンポーン」といった呼出音を一定時間で動作時間設定部１４８の設定内容、即ち設定された時間もしくは連続で出力する。これに対し緊急呼出を判別した場合にはスピーカー１５２より警報音を連続出力する。この警報音の連続出力に対しても動作時間設定部１４８で設定した時間もしくは連続のいずれかとする。
【００９８】
さらにスピーカー処理部１４７にあっては設定操作部１５４により特定の発信機１０からの呼出信号についてはスピーカー出力を禁止する設定を行うことができる。これは不審者侵入などの際に発信機１０の緊急呼出ボタンを押した場合、その近くに設定しているスピーカー装置１８から警報音を出した場合には不審者に対し過度な刺激を与える恐れがあることから、発生現場近くに設置されたスピーカー装置については警報音の出力を禁止する設定ができるようにしている。
【００９９】
またスピーカー装置１８にあっては、最初通常呼出信号を受信して通常呼出のスピーカー出力を行っている途中に緊急呼出信号を受信すると警報音の出力に切り替わる。さらに通常呼出音あるいは警報音出力中に図５（Ｃ）の呼出リセット信号４０を受信するとスピーカー１５２からの出力を停止するようになる。
【０１００】
図１６は発信機から通常呼出信号を送信した場合のシステム動作のタイムチャートである。尚、スピーカー装置１８については省略している。図１６において、発信機１０につきステップＳ１で通常呼出ボタンを操作するとステップＳ２で通常呼出信号を送信する。通常呼出信号は例えば２台の中継機１６で受信され、一方の中継機１６はステップＳ１０１で遅延時間ΔＴ１後に中継送信し、別の中継機１６にあってはステップＳ２０１で異なる遅延時間ΔＴ２後に中継送信する。
【０１０１】
受信表示機１２は中継機１６から中継送信された通常呼出信号を受信し、ステップＳ３０１で呼出信号から発信機番号と通常呼出を判別し、ステップＳ３０２で先頭の番号表示器に発信機番号を指定色で表示し、ステップＳ３０３で通常呼出音を出力する。
【０１０２】
また教職員が携帯する携帯端末送受信機１４はステップＳ４０１で呼出信号から発信機番号と通常呼出を判別し、ステップＳ４０２で発信機番号を指定色で表示し、ステップＳ４０３で通常呼出音またはバイブレータの出力を行う。
【０１０３】
このような通常呼出に対し、携帯端末呼出送受信機２０よりステップＳ５０１で携帯端末番号と行き先を指定して呼出信号を携帯端末送受信機１４に対し送信すると、これがステップＳ４０４で受信され、呼出音またはバイブレータ動作により行き先表示を行う。この呼び出しを行った行き先表示に対し携帯端末送受信機１４はステップＳ４０５で確認信号を送信し、これがステップＳ５０２で受信され確認表示が行われる。
【０１０４】
その後、発信機１０においてステップＳ３で通常呼出ボタンについて長押し操作が行われるとリセット信号が送信され、リセット信号を受けて受信表示機１２はステップＳ３０４で、また携帯端末送受信機１４はステップＳ４０６で番号表示を消去する。
【０１０５】
図１７は発信機１０から緊急呼出信号を送信した場合のシステム動作の説明図である。緊急呼出信号を送信した場合の処理は基本的には図１６と同じであるが、受信表示機１２のステップＳ３０２における表示が発信機番号の指定表示色によるフリッカ表示であり、またステップＳ３０３における音響出力が緊急警報音の連続出力としている点が異なる。また携帯端末送受信機１４においてもステップＳ４０２で発信機番号を指定色でフリッカ表示し、ステップＳ４０３で緊急警報音またはバイブレータの連続出力としている点が相違する。
【０１０６】
図１８は本発明の発信機１０における発信機処理のフローチャートである。図１８において、発信機処理はステップＳ１で図４の設定操作部２５により発信機番号と表示色を設定し、ステップＳ２で通常呼出ボタン２２の押圧操作を判別するとステップＳ３に進み、通常呼出コマンド、発信機番号及び指定表示色を含む通常呼出信号を送信する。
【０１０７】
またステップＳ４で緊急呼出ボタンの押圧操作を判別するとステップＳ５で、緊急呼出コマンド、発信機番号及び指定表示色を含む緊急呼出信号を送信する。さらにステップＳ６で例えば３秒を超える長押し操作を判別するとステップＳ７でリセットコマンド及び発信機番号を含む呼出リセット信号を送信する。
【０１０８】
図１９は本発明の受信表示機１２における受信表示処理の説明図である。図１９の受信表示処理を図６を参照して説明すると次のようになる。まずステップＳ１で呼出信号の受信の有無をチェックしており、呼出信号を受信するとステップＳ２で呼出信号を解読し、ステップＳ３で呼出表示中か否かチェックする。もし、すでに発信機番号を先頭の番号表示器４８に表示している状態ではステップＳ４でこの番号表示器４８を消去する。
【０１０９】
続いてステップＳ５で緊急呼出か否かチェックする。緊急呼出であればステップＳ６で先頭の番号表示器４８に指定表示色で発信機番号をフリッカ表示し、ステップＳ７で緊急警報音を連続出力する。通常呼出であればステップＳ８で先頭の番号表示器４８に指定表示色で発信機番号を表示し、ステップＳ９で通常呼出音を出力する。
【０１１０】
次にステップＳ１０で携帯端末送受信機１４からの確認信号の受信の有無をチェックしており、確認信号を受信するとステップＳ１１に進み、空きの番号表示器４８が２番目以降にあるか否かチェックし、空きがあればステップＳ１２で２番目以降の空きの番号表示器４８に確認信号の受信で得られた携帯端末番号を表示する。空きがなければステップＳ１３でサブ表示器５０に確認信号の受信件数を表示する。
【０１１１】
続いてステップＳ１４で呼出リセット信号の受信の有無をチェックし、呼出リセットを判別するとステップＳ１５で番号表示器４８の表示を消去する。このようなステップＳ１〜１５の処理をステップＳ１６で停止指示、例えば電源停止などがあるまで繰り返す。
【０１１２】
図２０は本発明の携帯端末送受信機１４における携帯端末送受信処理のフローチャートである。図２０において、ステップＳ１で発信機１０からの呼出信号の受信の有無をチェックしており、呼出信号を受信するとステップＳ２でこれを解読し、ステップＳ３で呼出表示中か否かチェックする。
【０１１３】
もし呼出表示中であればステップＳ４で呼出表示を消去する。続いてステップＳ５で緊急呼出か否かチェックし、緊急呼出であればステップＳ６で指定表示色で発信機番号をフリッカ表示し、ステップＳ７で警報音を連続出力する。通常呼出であった場合にはステップＳ８で指定表示色で発信機番号を表示し、ステップＳ９で通常呼出音を出力する。
【０１１４】
次にステップＳ１０で携帯端末呼出送受信機２０から呼出信号を受信したか否かチェックしており、呼出信号を受信するとステップＳ１１で呼出音を出力して行き先を表示する。この状態でステップＳ１２で確認操作が判別されると、ステップＳ１３で確認コマンドと携帯端末番号を含む確認信号を送信する。続いてステップＳ１４で呼出リセット信号が発信機から受信されたか否かチェックしており、呼出リセットを判別すると液晶表示器の番号表示を消去する。このようなステップＳ１〜１５の処理をステップＳ１６で電源停止などの停止指示があるまで繰り返す。
【０１１５】
尚、携帯端末送受信機１４にあっては、別の教職員が携帯する携帯端末送受信機１４から確認信号を受信した際もこれを受信解読して液晶表示機に携帯端末番号と確認数を表示し、呼出信号に対し他の先生が何人位確認し、対応しているかをわかるようにしているが、この点は図２０のフローチャートにあっては省略している。
【０１１６】
図２１は本発明の中継機１６における中継処理のフローチャートである。図２１において、中継処理はステップＳ１で中継機番号を設定するとステップＳ２で中継機番号に対応する遅延時間をテーブルから取得して固有の遅延時間を設定する。続いてステップＳ３で信号受信の有無をチェックしており、システムで使用しているいずれかの信号を受信するとステップＳ４で受信復調して受信データを現在保存中の受信データと比較する。
【０１１７】
この比較結果からステップＳ５で受信データが不一致であれば新たな信号の受信を判別し、ステップＳ６で遅延時間経過後にステップＳ７に進み、保持中の受信データを中継送信し保存する。一方、ステップＳ５で保存中の受信データとの一致が判別された場合には、すでに中継送信済みのデータ送信であることからステップＳ８で受信データを破棄し、中継送信を停止する。
【０１１８】
次にステップＳ９で一定時間を経過した保持中の受信データがあるか否かチェックし、もしあった場合にはステップＳ１０で一定時間が経過した保持中の受信データを消去する。
【０１１９】
図２２は本発明のスピーカー装置におけるスピーカー処理のフローチャートである。図２２において、スピーカー処理はステップＳ１で設定操作によりスピーカー出力時間を設定する。このスピーカー出力時間は１分、３分、５分、連続のいずれかとする。次にステップＳ２でスピーカー出力を禁止する発信機番号を同様に応じて設定する。
【０１２０】
続いてステップＳ３で発信機からの呼出信号の受信の有無をチェックしており、呼出信号を受信するとステップＳ４で出力禁止の発信機番号か否かチェックする。出力禁止の発信機番号であればそれ以上の処理は行わずステップＳ３の呼出信号の受信の判別に戻る。ステップＳ４で出力禁止の発信機番号でなかった場合にはステップＳ５で緊急呼出か否かチェックし、緊急呼出であればステップＳ６で緊急警報音を出力する。
【０１２１】
通常呼出であればステップＳ７で通常呼出音を出力する。次にステップＳ７で呼出リセット信号の受信の有無をチェックしており、受信されない場合にはステップＳ９でスピーカー出力時間を経過したか否か判別している。この状態でステップＳ７で呼出リセット信号が受信されるかあるいはステップＳ９でスピーカー出力時間が経過するとステップＳ１０に進みスピーカー出力を停止することとなる。
【０１２２】
図２３は本発明の携帯端末呼出送受信機２０における携帯端末呼出送受信処理のフローチャートである。この処理を図１２の携帯端末呼出送受信機２０を参照して説明すると次のようになる。
【０１２３】
まずステップＳ１で携帯端末番号と行き先の入力を行い、この状態でステップＳ２で呼出ボタン１１８による呼出操作の有無を判別している。呼出操作があるとステップＳ３に進み端末呼出コマンド、端末携帯番号及び行き先を含む端末呼出信号を送信する。続いてステップＳ４で確認信号の受信をチェックしており、確認信号の受信がなければステップＳ６で予め定めた一定時間のタイムアウトの有無をチェックしている。
【０１２４】
ステップＳ４で確認信号が受信されるとステップＳ５に進み確認表示を行う。尚、ステップＳ６で一定時間が経過しても確認信号が受信されずにタイムアウトとなった場合にはステップＳ７でエラー表示を行う。
【０１２５】
次にステップＳ８で一斉呼出操作か否かチェックしており、一斉呼出操作を判別するとステップＳ９で一斉呼出コマンドと行き先を含む端末呼出信号を送信する。続いてステップＳ１０で確認信号の受信の有無をチェックしており、確認信号を受信するとステップＳ１１で確認受信数を表示する。
【０１２６】
そしてステップＳ１２でリセット操作が行われるまでステップＳ１０，Ｓ１１の処理を繰り返している。ステップＳ１２でリセット操作を判別するとステップＳ１３で液晶表示機における確認表示数を消去する。このようなステップＳ１〜Ｓ１３の処理をステップＳ１４で電源停止などの停止指示があるまで繰り返す。
【０１２７】
尚、本発明で使用するシステム機器の電源として職員室などに設置される受信表示機１２や携帯端末呼出送受信機２０についてはＡＣアダプターによる電源供給とするが、発信機１０、携帯端末送受信機１４、中継機１６、スピーカー装置１８については電池電源による運用が望ましい。
【０１２８】
また上記の実施形態は学校施設での使用を例にとるものであったが、これ以外に幼稚園や保育園、各種のスクールなど多数の子供たちが集まるような場所であれば同様に本発明を適用することができる。
【０１２９】
また本発明はその目的と利点を損なうことのない適宜の変形を含み、さらに上記の実施形態に示した数値による限定は受けない。
【図面の簡単な説明】
【０１３０】
【図１】本発明による学校用緊急呼出システムの構成を示した説明図
【図２】本発明のシステム機器の設置を示した学校見取り図
【図３】本発明で使用する発信機の説明図
【図４】本発明で使用する発信機の機能構成を示したブロック図
【図５】本発明で使用する信号のフォーマット構成の説明図
【図６】本発明で使用する受信表示機の説明図
【図７】本発明で使用する受信表示機の機能構成を示したブロック図
【図８】本発明で使用する携帯端末送受信機の説明図
【図９】本発明で使用する携帯端末送受信機の機能構成を示したブロック図
【図１０】本発明で使用する中継機の説明図
【図１１】本発明で使用する中継機の機能構成を示したブロック図
【図１２】本発明で使用する携帯端末呼出送受信機の説明図
【図１３】本発明で使用する携帯端末呼出送受信機の機能構成を示したブロック図
【図１４】本発明で使用するスピーカー装置の説明図
【図１５】本発明で使用するスピーカー装置の機能構成を示したブロック図
【図１６】発信機から通常呼出信号を送信した場合のシステム動作のタイムチャート
【図１７】発信機から緊急呼出信号を送信した場合のシステム動作のタイムチャート
【図１８】本発明の発信機における発信機処理のフローチャート
【図１９】本発明の受信表示器における受信表示処理のフローチャート
【図２０】本発明の携帯端末送受信機における携帯端末送受信処理のフローチャート
【図２１】本発明の中継機における中継処理のフローチャート
【図２２】本発明のスピーカー装置におけるスピーカー処理のフローチャート
【図２３】本発明の携帯端末呼出送受信機における携帯端末呼出送受信処理のフローチャート
【符号の説明】
【０１３１】
１０：発信機
１２：受信表示機
１２ａ：受信処理部
１２ｂ：操作部
１２ｃ：警報表示部
１４：携帯端末送受信機
１６：中継機
１８：スピーカー装置
２０：携帯端末呼出送受信機
２０ａ：送受信処理部
２０ｂ：呼出操作部
２０ｃ：呼出表示部
２２：通常呼出ボタン
２２ａ：通常呼出スイッチ
２４：緊急呼出ボタン
２４ｂ：緊急呼出スイッチ
２５：設定操作部
２６：窪み
２８：呼出制御回路
３０：送信回路
３２，５４，８４，１００，１３３，１４２：アンテナ
３４，９８：電池電源部
３６：通常呼出信号
３８：緊急呼出信号
４０：呼出リセット信号
４２：確認信号
４４：端末呼出信号
４６：一斉呼出信号
４８：番号表示器
５０：サブ表示器
５２：音響孔
５６：音量表示部
５８：明るさ表示部
６０，１４４：受信回路
６２，８８，１０４，１２６，１４５：デコード回路
６４，９２，１０８，１３０，１４６：ＭＰＵ
６６：受信表示処理部
６８：表示駆動回路
７０：チャイム駆動回路
７２，９６，１３８，１５２：スピーカー
７４：消去信号
７６：確認ボタン
７６ａ：確認スイッチ
７８，１１４：液晶表示器
８０：待受け表示灯
８２：ローバッテリー警告灯
８６，１０２，１２４：送受信回路
９０，１０６，１２８：エンコード回路
９４：送受信処理部
９５，１３４：デバイスインタフェース
１１５，１４０，１５６：電源部
１０１：動作表示灯
１１０：中継処理部
１１２：遅延時間テーブル
１１４：受信データ保存部
１１６：テンキー
１１８：呼出ボタン
１２０：一斉呼出ボタン
１２２：電源ボタン
１２５：確認表示灯
１３６：操作部
１４７：スピーカー処理部
１４８：動作時間設定部
１５０：駆動回路
１５４：設定操作部
【図１】
2007041688.tif 000003
【図２】
2007041688.tif 000004
【図３】
2007041688.tif 000005
【図４】
2007041688.tif 000006
【図５】
2007041688.tif 000007
【図６】
2007041688.tif 000008
【図７】
2007041688.tif 000009
【図８】
2007041688.tif 000010
【図９】
2007041688.tif 000011
【図１０】
2007041688.tif 000012
【図１１】
2007041688.tif 000013
【図１２】
2007041688.tif 000014
【図１３】
2007041688.tif 000015
【図１４】
2007041688.tif 000016
【図１５】
2007041688.tif 000017
【図１６】
2007041688.tif 000018
【図１７】
2007041688.tif 000019
【図１８】
2007041688.tif 000020
【図１９】
2007041688.tif 000021
【図２０】
2007041688.tif 000022
【図２１】
2007041688.tif 000023
【図２２】
2007041688.tif 000024
【図２３】
2007041688.tif 000025